(57)【要約】【課題】対象物に貼り付けたときに広い範囲においてユーザの視認性を大きく向上する。【解決手段】発光タグ１００において、略平板形状の内側基材５と、内側基材５の貼り付け側の面に設けられた、本体粘着層６と、内側基材５の一端部から突出するように設けられ、面厚さ方向一方側及び他方側に第１発光部１２及び第２発光部１３をそれぞれ備えた発光体２と、ＩＣ回路部８、及び、ＩＣ回路部８に電気的に接続され情報を送受信するループアンテナ９、を備えた無線タグ回路部４と、発光体２への電源供給を行うための電源供給部３１とを有する。【選択図】図４
2011076136.tif 000002
【特許請求の範囲】
【請求項１】
略平板形状の基材と、
前記基材の貼り付け側の面に設けられた、貼り付け用粘着部と、
前記基材の一端部から突出するように設けられ、面厚さ方向一方側及び他方側に第１発光部及び第２発光部をそれぞれ備えた発光体と、
情報を送受信するタグアンテナ、及び、前記タグアンテナにより受信された情報に基づき所定の制御を行う制御部を設けたＩＣ回路部、を備えた無線タグ回路部と、
前記発光体及び前記無線タグ回路部への電源供給を行うための給電部と
を有し、
前記制御部は、前記給電部から前記第１発光部及び前記第２発光部並びに前記無線タグ回路部への給電を制御する
することを特徴とする発光タグ。
【請求項２】
請求項１記載の発光タグにおいて、
前記給電部は、
前記タグアンテナにより受信された電波のエネルギーを蓄積し、発光タグ全体に給電を行う
ことを特徴とする発光タグ。
【請求項３】
請求項１又は請求項２記載の発光タグにおいて、
前記貼り付け用粘着部の貼り付け側を覆う、引き剥がし可能な剥離紙をさらに有し、
前記制御部は、
前記剥離紙が備える電極導体による電気の導通によって、当該剥離紙が付着しているかどうかを検出し、その検出結果に基づいて前記給電を制御する
ことを特徴とする発光タグ。
【請求項４】
請求項１乃至請求項３のいずれか１項に記載の発光タグにおいて、
前記無線タグ回路部は、
平面視において前記貼り付け用粘着部と重なるように、前記基材に設けられている
ことを特徴とする発光タグ。
【請求項５】
請求項１乃至請求項４のいずれか１項に記載の発光タグにおいて、
前記基材に設けられ、前記給電部にそれぞれ接続された陽極端子及び陰極端子をさらに有し、
前記発光体は、
折り曲げ前の状態において略平板状の形状を備え、前記第１発光部、折り曲げ可能な部材で構成された折り曲げ部、及び、前記第２発光部、の順で配置された発光準備体が、前記折り曲げ部を介して折り曲げられることにより形成され、
前記発光準備体は、
当該折り曲げにより前記第１発光部及び前記第２発光部が高さ方向に積層したときに、前記第２発光部に接続された第２陽極及び第２陰極が、前記第１発光部に接続された第１陽極及び第１陰極と、前記陽極端子及び前記陰極端子とに、接触可能な形状に配設されている
ことを特徴とする発光タグ。
【請求項６】
請求項１乃至請求項３、及び請求項５のいずれか１項に記載の発光タグにおいて、
前記発光体は、
前記基材の前記一端部に取り付けられた発光部設置部を備え、
前記無線タグ回路部は、
平面視において、前記発光部設置部の周縁部に設けられており
前記第１発光部及び前記第２発光部は、
平面視において、前記無線タグ回路部より前記発光部設置部の径方向内周側に設けられていることを特徴とする発光タグ。
【請求項７】
請求項１乃至請求項３、及び請求項５のいずれか１項に記載の発光タグにおいて、
前記発光体は、
前記基材の前記一端部に取り付けられた発光部設置部を備え、
前記第１発光部及び前記第２発光部は、
平面視において、前記発光部設置部の周縁部に設けられており、
前記無線タグ回路部は、
平面視において、前記第１発光部及び前記第２発光部より前記発光部設置部の径方向内周側に設けられている
ことを特徴とする発光タグ。
【発明の詳細な説明】
【技術分野】
【０００１】
本発明は、外部と情報の無線通信が可能である無線タグとともに有機ＥＬ等の発光素子を備えた発光タグに関する。
【背景技術】
【０００２】
近年、無線タグを物品に貼り付け、これをリーダライタにて読み取ることにより、物品の流通管理が行われている。例えば、特許文献１には、無線タグに発光素子等などの報知手段を設け、リーダライタにて特定の無線タグの報知手段を反応させることにより、所望の無線タグを容易に見つけ出せるようにした物品検索システムが提案されている。
【先行技術文献】
【特許文献】
【０００３】
【特許文献１】特開２００６−２４０１８号公報
【発明の概要】
【発明が解決しようとする課題】
【０００４】
上記従来技術では、発光素子等は、無線タグの貼り付け面に平面視で見て重なるような配置で設けられ、その発光素子を含む無線タグの全体が設置対象物に貼り付けられる。そして、例えば書類やクリアファイルなどのように厚み寸法のない設置対象物に対し無線タグが貼り付けられる際には、発光素子を含む無線タグの全体が、当該書類等の一方の表面上に、又は、書類等の端部に折り畳み巻き付けるように貼り付けられる。この結果、無線タグをそれぞれ貼付した複数の書類等を折り重なるようにして収納する際、設置対象物の表面に貼り付けた無線タグは他の書類との間に挟まれ隠れてしまい、発光状態がユーザから見えにくくなる。また設置対象物の貼り付けた上記表面とは反対側の裏面側からは、ユーザは発光状態を視認することは不可能である。また、設置対象物の端部に折り畳み巻き付けた無線タグは、折り畳まれた分、ユーザの視界側への露出面積が極めて小さくなる。いずれにしても、上記従来技術では、ユーザにより発光素子の発光状態を視認できる範囲が非常に限られる、という問題があった。
【０００５】
本発明の目的は、対象物に貼り付けたときに広い範囲においてユーザの視認性を大きく向上させることができる発光タグを提供することにある。
【課題を解決するための手段】
【０００６】
上記目的を達成するために、第１の発明は、略平板形状の基材と、前記基材の貼り付け側の面に設けられた、貼り付け用粘着部と、前記基材の一端部から突出するように設けられ、面厚さ方向一方側及び他方側に第１発光部及び第２発光部をそれぞれ備えた発光体と、情報を送受信するタグアンテナ、及び、前記タグアンテナにより受信された情報に基づき所定の制御を行う制御部を設けたＩＣ回路部、を備えた無線タグ回路部と、前記発光体及び前記無線タグ回路部への電源供給を行うための給電部とを有し、前記制御部は、前記給電部から前記第１発光部及び前記第２発光部並びに前記無線タグ回路部への給電を制御することを特徴とする。
【０００７】
本願第１発明の発光タグは、基材と、発光体とを有する。第１及び第２発光部と無線タグ回路部とには制御部の制御に基づき給電部から給電が行われ、無線タグ回路部の動作に応じて発光可能である。ユーザの使用時には、略平板形状の基材が貼り付け用粘着部により設置対象物に貼り付けられて、使用される。このとき、発光体は、基材の一端部から突出するように設けられている。これにより、基材が設置対象物に貼り付けられる際も、基材を設置対象物の縁部近くに貼り付けることで、発光体を設置対象物からはみ出るように空中に突出させることができる。そして、発光体には、その両側に第１発光部及び第２発光部を備えていることにより、上記のように空中に突出した状態で一方側からは第１発光部が良好に視認されるとともに他方側からは第２発光部が良好に視認される。このようにして、発光体を空中に突出させ、その表裏両面から第１及び第２発光部に発光させるので、対象物に貼り付けたときに広い範囲においてユーザの視認性を大きく向上することができる。
【０００８】
第２発明は、上記第１発明において、前記給電部は、前記タグアンテナにより受信された電波のエネルギーを蓄積し、発光タグ全体に給電を行うことを特徴とする。
【０００９】
給電部で無線給電を行うことにより、発光タグ内に自己電源を持たなくても、受信された電波のエネルギーを用いて第１及び第２発光部に給電を行い、発光させることができる。
【００１０】
第３発明は、上記第１又は第２発明において、前記貼り付け用粘着部の貼り付け側を覆う、引き剥がし可能な剥離紙をさらに有し、前記制御部は、前記剥離紙が備える電極導体による電気の導通によって、当該剥離紙が付着しているかどうかを検出し、その検出結果に基づいて前記給電を制御することを特徴とする。
【００１１】
これにより、ユーザによって使用時に剥離紙が剥がされるまでは第１発光部及び第２発光部は発光を行わず、剥離紙が剥がされて使用が開始されると第１発光部及び第２発光部が発光可能となる。これにより、使用前の無駄な電源消費を防止することができる。
【００１２】
第４発明は、上記第１乃至第３発明のいずれかにおいて、前記無線タグ回路部は、平面視において前記貼り付け用粘着部と重なるように、前記基材に設けられていることを特徴とする。
【００１３】
無線タグ回路部を発光体側でなく基材に設けることにより、発光体側の制限を受けることなく無線タグ回路部の大きさを比較的大きくすることができる。一般に、タグアンテナの送受信可能な周波数帯域は、アンテナ素子の電気長に依存するが、無線タグ回路部を大型化することで、タグアンテナの電気長を小さくしたり大きくしたり比較的自由に設定可能となる。これにより、タグアンテナの送受信可能な電波の周波数帯域を、比較的広範囲とすることができ、無線タグとしての汎用性が向上し、ユーザの利便性が向上する。
【００１４】
第５発明は、上記第１乃至第４発明のいずれかにおいて、前記基材に設けられ、前記給電部にそれぞれ接続された陽極端子及び陰極端子をさらに有し、前記発光体は、折り曲げ前の状態において略平板状の形状を備え、前記第１発光部、折り曲げ可能な部材で構成された折り曲げ部、及び、前記第２発光部、の順で配置された発光準備体が、前記折り曲げ部を介して折り曲げられることにより形成され、前記発光準備体は、
当該折り曲げにより前記第１発光部及び前記第２発光部が高さ方向に積層したときに、前記第２発光部に接続された第２陽極及び第２陰極が、前記第１発光部に接続された第１陽極及び第１陰極と、前記陽極端子及び前記陰極端子とに、接触可能な形状に配設されていることを特徴とする。
【００１５】
これにより、平板状の構造の発光準備体を折り曲げ部で折り曲げることで、発光部が表裏２層構造で含まれる発光体を、容易に形成することができる。
【００１６】
第６発明は、上記第１乃至第３発明、及び第５発明のいずれかにおいて、前記発光体は、前記基材の前記一端部に取り付けられた発光部設置部を備え、前記無線タグ回路部は、平面視において、前記発光部設置部の周縁部に設けられており、前記第１発光部及び前記第２発光部は、平面視において、前記無線タグ回路部より前記発光部設置部の径方向内周側に設けられていることを特徴とする。
【００１７】
無線タグ回路部を基材側でなく、基材から突出した発光体設置部に設けることにより、無線タグ回路部への電波の障害物がなくなり、通信信頼性を向上することができる。また、一般に、タグアンテナの送受信可能な周波数帯域は、アンテナ素子の電気長に依存するが、第１及び第２発光部より外周側に無線タグ回路部を配置することで、アンテナ素子の電気長が比較的長い低周波通信向きの無線タグ回路部を、容易に実現できる。
【００１８】
第７発明は、上記第１乃至第３発明、及び第５発明のいずれかにおいて、前記発光体は、前記基材の前記一端部に取り付けられた発光部設置部を備え、前記第１発光部及び前記第２発光部は、平面視において、前記発光部設置部の周縁部に設けられており、前記無線タグ回路部は、平面視において、前記第１発光部及び前記第２発光部より前記発光部設置部の径方向内周側に設けられていることを特徴とする。
【００１９】
無線タグ回路部を基材側でなく、基材から突出した発光体設置部に設けることにより、無線タグ回路部への電波の障害物がなくなり、通信信頼性を向上することができる。また、一般に、タグアンテナの送受信可能な周波数帯域は、アンテナ素子の電気長に依存するが、第１及び第２発光部より内周側に無線タグ回路部を配置することで、アンテナ素子の電気長が比較的短い高周波通信向きの無線タグ回路部を、容易に実現できる。
【発明の効果】
【００２０】
本発明によれば、対象物に貼り付けたときに広い範囲においてユーザの視認性を大きく向上させることができる。
【図面の簡単な説明】
【００２１】
【図１】本発明の実施形態に係る発光タグを使用状態で貼り付けたクリアファイルの全体外観図である。
【図２】使用前状態の発光タグの上面図、図２（ａ）の構造の下面図、及び、図２（ａ）中のＩＩｃ−ＩＩｃ断面による断面図及びその部分拡大図である。
【図３】図２（ａ）中のＩＩＩａ−ＩＩＩａ断面による断面図、及び、図２（ａ）中のＩＩＩｂ−ＩＩＩｂ断面による断面図である。
【図４】使用直前状態の発光タグの上面図、使用状態の発光タグの上面図、及び、図４（ｂ）の構造の下面図である。
【図５】図４（ｂ）中のＶａ−Ｖａによる断面図、及び、図４（ｂ）中のＶｂ−Ｖｂによる断面図である。
【図６】ＩＣ回路部とその周辺回路の機能的構成を表すブロック図である。
【図７】発光タグの使用例を示す説明図である。
【図８】無線タグ回路部を突出発光部に配置した変形例の、使用状態の発光タグの上面図である。
【発明を実施するための形態】
【００２２】
以下、本発明の一実施の形態を図面を参照しつつ説明する。
【００２３】
図１は、本実施形態の発光タグを使用状態で貼り付けたクリアファイルの全体外観図である。
【００２４】
この図１において、本実施形態の発光タグ１００は、例えば複数枚の紙から成る書類などを収納するクリアファイルＦを設置対象物として、その表面に貼り付けられている。
【００２５】
発光タグ１００は、貼付本体部１と発光体２とを有している。図１に示している、クリアファイルＦに設置した使用状態では、発光体タグ１００は、貼付本体部１は全体が略平板状で略矩形形状に形成されており、発光体２は当該貼付本体部１と同じ略平板状で上記貼付本体部１より小さい略矩形形状に形成されている。そして発光体２は、貼付本体部１の一方の短辺から突出する配置で一体に形成されている。この発光タグ１００は、貼付本体部１の裏面に設けられた本体粘着層（後述）によりクリアファイルＦの表面に貼り付けられ、その貼り付ける配置としては図１に示すように発光体２だけをクリアファイルＦの縁部Ｆａから突出する配置が適切となる。
【００２６】
発光タグ１００の使用前状態を図２及び図３に示す。図２（ａ）は使用前状態の発光タグ１００の上面図である。なお、図示の煩雑の防止のために、図２（ａ）では後述の発光体剥離紙１５を取り去った後の状態を示している（後述の図４（ａ）参照）。図２（ｂ）は図２（ａ）の構造の下面図であり、図２（ｃ）は図２（ａ）中のＩＩｃ−ＩＩｃ断面による断面図及びその部分拡大図である。また、図３（ａ）は図２（ａ）中のＩＩＩａ−ＩＩＩａ断面による断面図であり、図３（ｂ）は図２（ａ）中のＩＩＩｂ−ＩＩＩｂ断面による断面図である。
【００２７】
これら図２（ａ）〜（ｃ）、図３（ａ）、及び図３（ｂ）において、使用前状態の貼付本体部１は、この例では、概略的に外側基材３と、無線タグ回路部４と、内側基材５と、貼り付け用粘着部としての本体粘着層６と、本体剥離紙７とを有している。外側基材３及び内側基材５が各請求項記載の基材を構成する。なお、後述のように折り曲げて発光体２として完成する前、すなわち図２（ａ）〜（ｃ）、図３（ａ）、及び図３（ｂ）で示す使用前の状態を、以下、「発光準備体２′」として説明する。
【００２８】
全体が略平板状に形成されている貼付本体部１は、上記外側基材３、無線タグ回路部４、内側基材５、本体粘着層６、及び本体剥離紙７の５層構造となっている。すなわち貼付本体部１は、クリアファイルＦに貼付された際（上記図１参照）の外面側から接触面側へ向かって、例えばＰＥＴ（ポリエチレンテレフタラート）等から成る上記外側基材３、上記無線タグ回路部４、上記同様のＰＥＴ等から成る上記内側基材５、適宜の粘着材からなる本体粘着層６、引き剥がし可能な剥離紙としての本体剥離紙７の順序で積層して構成されている。
【００２９】
無線タグ回路部４は、情報を記憶可能なＩＣ回路部８と情報を送受信するタグアンテナとしてのループアンテナ９とを備え、平面視において本体粘着層６と重なるように設けられている。上記本体剥離紙７は、発光タグ１００がクリアファイルＦに貼り付けられる際に、これを剥がすことで本体粘着層６により当該クリアファイルＦの表面に接着させる。
【００３０】
また、上記ＩＣ回路部８に接続する上記ループアンテナ９の両端付近にはそれぞれ導電材料から成る接触端子９ａ，９ｂが接続されており、それら２つの接触端子９ａ，９ｂは内側基材５と本体粘着層６を貫通するよう配置されている。また、本体剥離紙７の本体粘着層６側の表面には、それら２つの接触端子９ａ，９ｂを短絡させる配置で、例えば導電材料から成る電極導体としての短絡部材１０が設けられている。これら２つの接触端子９ａ，９ｂと短絡部材１０が、タグスイッチ部ＳＷ１を構成している。
【００３１】
発光準備体２′は、この例では、発光部設置部としての発光体基材１１と、第１発光部１２と、第２発光部１３と、発光体粘着層１４と、発光体剥離紙１５（前述したように図２（ａ）では省略して図示している。後述の図４（ａ）参照）とを有している。発光体基材１１は、上記貼付本体部１の内側基材５の一部としてその一端部から突出して延長するように形成され、貼付本体部１の近傍から順に、第１発光部１２と、折り曲げ部１１ａと、第２発光部１３とが設けられている。第１発光部１２と第２発光部１３は比較的短い距離で離間しており、この離間部分における発光体基材１１が上記折り曲げ部１１ａを構成している。また、後述するように、この発光タグ１００の使用時にはこの折り曲げ部１１ａを例えば折り曲げ線ｋを基準として折り曲げ、第１発光部１２と第２発光部１３とを重ね合わせるように配置するが（後述の図４，図５参照）、発光体基材１１はその際に先端部分が貼付本体部１と十分な距離で重なるよう形成されている。
【００３２】
ここで上記２つの発光部１２，１３は、例えば公知の有機エレクトロルミネッセンス発光素子（以下、有機ＥＬ素子という）を用いることができる。図３に示すように、有機ＥＬ素子で構成される発光部１２は、発光層１２ａと、発光層１２ａの一方側に設けられる陰極層１２ｃと、発光層１２ａの他方側に設けられる陽極層１２ｂとを含む。同様に、有機ＥＬ素子で構成される発光部１３は、発光層１３ａと、発光層１３ａの一方側に設けられる陰極層１３ｃと、発光層１３ａの他方側に設けられる陽極層１３ｂとを含む。
【００３３】
発光層１２ａ，１３ａは、有機ＥＬを含む層であり、陰極層１２ｃ，１３ｃと陽極層１２ｂ，１３ｂとの間に電圧が印加されることで発光する。有機ＥＬとしては、例えばポリパラフェニレンビニレン誘導体、ポリフルオレン誘導体、ポリチオフェン誘導体等の高分子発光材料、及び、テトラフェニルブタジエン（ＴＰＢ）、ペリレン、クマリン、ルブレン、ナイルレッド、４−ジシアノメチレン−２−メチル−６−ジメチルアミノスチリル−４−ピラン（ＤＣＭ）、４−ジシアノメチレン−６−シーピージュロリジノスチリル−２−ターシャルブチル−４Ｈ−ピラン（ＤＣＪＴＢ）、スクアリリウム、アルミニウム錯体（例えばＡｌＱ３）等の低分子系材料を用いることができる。
【００３４】
なお、発光層１２ａ，１３ａの陰極層１２ｃ，１３ｃに接する面には、図示されない電子注入層が設けられる。電子注入層は、オキサジゾール誘導体、トリアゾール系、及びアルミニウム錯体のいずれかを用いることができる。
【００３５】
陰極層１２ｃ，１３ｃは、例えばアルミニウム（Ａｌ），フッ化リチウム（ＬｉＦ），ＡｌとＣａとの積層，ＡｌとＬｉＦとの積層及びＡｌとＢａとの積層等で構成することができる。陰極層１２ｃ，１３ｃは、陰極層１２ｃ，１３ｃと陽極層１２ｂ，１３ｂとの間に電圧が印加されることで、上記電子注入層を介して発光層１２ａ，１３ａに電子を注入する。
【００３６】
陽極層１２ｂ，１３ｂは、例えば透明電極用の材料であるインジウムチタンオキサイド（ＩＴＯ）又はポリエチレンジオキシチオフェン（ＰＥＤＯＴ）で構成することができる。陽極層１２ｂ，１３ｂは、陰極層１２ｃ，１３ｃと陽極層１２ｂ，１３ｂとの間に電圧が印加されることで、発光層１２ａ，１３ａに正孔を注入する。
【００３７】
このように有機ＥＬ素子で構成される２つの発光部１２，１３は、発光体２において、それぞれの陰極層１２ｃ，１３ｃを発光体基材１１に貼り合わせ、それぞれ陽極層１２ｂ，１３ｂを表面側に配置して外部に露出させている。
【００３８】
なお、本実施形態では、例えば、第１発光部１２が青色に発光し、第２発光部１３が緑色に発光する。このように２つの発光部１２，１３を互いに異なる色で発光する有機ＥＬ素子で構成する以外にも、それぞれ同じ色で発光する有機ＥＬ素子で構成してもよい。
【００３９】
また、発光タグ１００は、発光スイッチ部ＳＷ２を有している。発光スイッチ部ＳＷ２は、陽極端子としてのＩＣ陽極１６と、陰極端子としてのＩＣ陰極１７と、第１陽極１８、第１陰極１９、第２陽極２０、及び第２陰極２１の、合計６つの電極端子で構成される。
【００４０】
ＩＣ陽極１６及びＩＣ陰極１７の２つの電極端子は、それぞれＩＣ回路部８に電気的に接続されており、上記第１発光部１２及び上記第２発光部１３の２つを同時に発光できる電力をＩＣ回路部８から供給可能となっている。なお、この例では、ＩＣ陽極１６及びＩＣ陰極１７が基材５のうち、クリアファイルＦへの貼り付け側と反対側に設けられているが、クリアファイルＦへの貼り付け側に設けるようにしてもよい。
【００４１】
図３（ａ）及び図３（ｂ）に示すように、第１陽極１８は、第１発光部１２の陽極層１２ｂに電気的に接続されている。第１陰極１９は、第１発光部１２の陰極層１２ｃに電気的に接続されている。第２陽極２０は第２発光部１３の陽極層１３ｂに電気的に接続されている。第２陰極２１は第２発光部１３の陰極層１３ｃに電気的に接続されている。
【００４２】
これら６つの電極端子１６，１７，１８，１９，２０，２１は、それぞれ内側基材５上又は発光体基材１１上で、内側基材５のクリアファイルＦへの貼り付け側と反対側の表面に設けられている。そして、各陽極１６，１８，２０は、発光体基材１１の突出方向に沿いかつ発光体基材１１の幅方向の縁部近傍に一列に並ぶ、陽極列を構成している。各陰極１７，１９，２１は発光体基材１１の突出方向に沿いかつ発光体基材１１の幅方向の縁部近傍に一列に並ぶ、陰極列を構成している。
【００４３】
また、ＩＣ陽極１６とＩＣ陰極１７は貼付本体部１上の発光準備体２′側に配置され、第１陽極１８及び第１陰極１９は平面視で見て第１発光部１２と重なるよう配置され、第２陽極２０及び第２陰極２１は平面視で見て第２発光部１３と重なるよう配置されている。このような配置関係にある６つの電極端子１６，１７，１８，１９，２０，２１は、図示する使用前状態においてお互いに離間して電気的に遮断された状態となっている。
【００４４】
そして、ＩＣ陽極１６、第１陽極１８、及び第２陽極２０は、後述するように発光タグ１００の使用時に折り曲げ部１１ａを折り曲げて第１発光部１２と第２発光部１３とを重ね合わせた際に、第２陽極２０がＩＣ陽極１６及び第１陽極１８に同時に接触できるような形状及び位置に形成されている。同様に、ＩＣ陰極１７、第１陰極１９、及び第２陰極２１は、折り曲げ部１１ａを折り曲げて第１発光部１２と第２発光部１３とを重ね合わせた際に、第２陰極２１がＩＣ陰極１７及び第１陰極１９に同時に接触できるような形状及び位置に形成されている。
【００４５】
また、発光体基材１１の折り曲げ部１１ａより先端側で、内側基材５のクリアファイルＦへの貼り付け側と反対側の面のうち、上記第２陽極２０と第２陰極２１を除く部分に、適宜の粘着材からなる発光体粘着層１４が設けられている。また、その発光体粘着層１４の表面には発光体剥離紙１５が積層して設けられている。なお、図３及び後述の図５においては、図示の煩雑を避けるために、発光体粘着層１４、発光体剥離紙１５、及び上記外側基材３などの詳細部分の図示を省略している。
【００４６】
図４（ａ）は使用直前状態の発光タグの上面図である。図４（ｂ）は使用状態の発光タグの上面図であり、図４（ｃ）は図４（ｂ）の構造の下面図であり、それぞれ上記図２（ａ）、図２（ｂ）に対応する図である。図５（ａ）は図４（ｂ）中のＶａ−Ｖａによる断面図であり、図５（ｂ）は図４（ｂ）中のＶｂ−Ｖｂによる断面図であり、それぞれ上記図３（ａ）、図３（ｂ）に対応する図である。
【００４７】
図４（ａ）において、発光タグ１００をユーザが使用する際には、まず本体剥離紙７及び発光体剥離紙１５をそれぞれ貼付本体部１及び発光準備体２′から引き剥がす。
【００４８】
本体剥離紙７を引き剥がすことにより、上記タグスイッチ部ＳＷ１における短絡部材１０が本体剥離紙７とともに引き剥がされ、２つの接触端子９ａ，９ｂの間は電気的に遮断される。また、貼付本体部１を、クリアファイルＦの表面上に本体粘着層６を介し貼り付けることができる。
【００４９】
また、発光体剥離紙１５を引き剥がして発光体基材１１の折り曲げ部１１ａを折り曲げることにより、発光体粘着層１４を介して、図５に示すように第１発光部１２と第２発光部１３とが厚さ方向に積層するよう配置される。またそれとともに、第２陽極２０がＩＣ陽極１６及び第１陽極１８に同時に接触して電気的に導通し、第２陰極２１がＩＣ陰極１７及び第１陰極１９に同時に接触して電気的に導通する。この状態では、第１発光部１２と第２発光部１３のそれぞれの陽極層１２ｂ，１３ｂが、第１陽極１８、第２陽極２０、及びＩＣ陽極１６を介してＩＣ回路部８の陽極側に電気的に導通する。また同様に、第１発光部１２と第２発光部１３のそれぞれの陰極層１２ｃ，１３ｃが、第１陰極１９、第２陰極２１、及びＩＣ陰極１７を介してＩＣ回路部８の陰極側に電気的に導通する。このような折り曲げ及び電気的な導通により、発光準備体２′から前述の発光体２が形成される。
【００５０】
図６は、貼付本体部１に備えられたＩＣ回路部８及びその周辺回路の機能的構成を表すブロック図である。
【００５１】
ＩＣ回路部８は、給電部としての電源供給部３１と、復調部３２と、変調部３３と、制御部３４とを備えている。またこのＩＣ回路部８には、特に上記図１〜図５に示していないコンデンサ３６と、上記タグスイッチ部ＳＷ１と、上記ループアンテナ９とが、互いに並列に接続されている。また、ＩＣ回路部８は、上記発光スイッチ部ＳＷ２を介し、第１発光部１２と第２発光部１３とに接続している。なお、図中においては、ループアンテナ９をコイルのシンボルで表している。また、図示の状態は、発光タグ１００の使用状態に対応しており、タグスイッチ部ＳＷ１においては短絡部材１０が２つの接触端子９ａ，９ｂから離間して遮断状態となっている。また、発光スイッチ部ＳＷ２においては陽極端子１６，１８，２０が接触して導通状態となっており、陰極端子１７，１９，２１が接触して導通状態となっている。
【００５２】
電源供給部３１は、この例ではループアンテナ９を介して受信した質問波のエネルギーを蓄積し、そのエネルギーをＩＣ回路部８及び２つの発光部１２，１３などの駆動電源とする無線給電を行う。
【００５３】
制御部３４は、上記復調部３２及び変調部３３等を介し、上記ＩＣ回路部８の作動を制御するとともに、上記電源供給部３１から発光部１２，１３への給電を制御することで発光及び消光の切り替えを制御する。また、上記電源供給部３１からＩＣ回路部８全体への給電も制御する。
【００５４】
復調部３２は、ループアンテナ９により受信された、後述のリーダのリーダアンテナからの質問波を復調する（後述の図５参照）。
【００５５】
変調部３３は、上記制御部３４からの返信信号を変調し、ループアンテナ９より応答波、すなわちタグＩＤを含む信号として、送信する。
【００５６】
制御部３４は、その内部に所定の情報信号を記憶する記憶部３５を備えており、この記憶部３５には当該ＩＣ回路部８の個体を特定するためのタグＩＤを記憶するＩＤ記憶領域３５ａが設けられている。この制御部３４は、上記復調部３２により復調された受信信号を解釈し、上記記憶部３５において記憶された情報信号に基づいて返信信号を生成する。そして、上記変調部３３が、当該返信信号を上記ループアンテナ９を介し送信する。また、制御部３４は、自己のタグＩＤが含まれている質問波の受信信号を上記復調部３２から受け取った際には、２つの発光部１２，１３を発光させるよう給電を制御する。
【００５７】
また、ＩＣ回路部８の外部に接続しているコンデンサ３６は、ループアンテナ９が電波を受信した際に発生するノイズを除去するためのバイパスコンデンサとして機能する。
【００５８】
そしてタグスイッチ部ＳＷ１は、上述したようにループアンテナ９に並列に接続されており、上記貼付本体部１に本体剥離紙７を貼り付けたままの使用前状態では短絡部材１０が２つの接触端子９ａ，９ｂを短絡して電気的に接続した導通状態となる（図２参照）。このとき、ループアンテナ９は当該タグスイッチ部ＳＷ１により短絡されて電波を送受信する機能を失い、無線タグ回路部４全体の機能が停止した状態となる。また、上記貼付本体部１から本体剥離紙７とともに短絡部材１０を引き剥がした使用状態では、２つの接続端子９ａ，９ｂが電気的に絶縁した遮断状態となる（図４（ｃ）参照）。このとき、ループアンテナ９は電波を送受信することができ、無線タグ回路部４全体が制御部３４の制御により正常に機能できる状態となる。
【００５９】
言い換えれば、制御部３４は、本体剥離紙７の短絡部材１０による電気の導通の有無によって、貼付本体部１へ本体剥離紙７が付着しているかどうかを検出する。そして、制御部３４は、その検出結果に応じて、本体剥離紙７が付着している上記使用前状態では電源供給部１１から各発光部１２，１３への給電を行わず、本体剥離紙７が付着していない上記使用状態では電源供給部１１から各発光部１２，１３への給電を行うのである。
【００６０】
ユーザは、上記のように構成した本実施形態の発光タグ１００をクリアファイルＦに設け、クリアファイルに収納させた紙書類などに対しＩＣ回路部８のタグＩＤを対応付けることで、物品管理を行うことができる。
【００６１】
図７は、上記構成の本実施形態の発光タグ１００の使用例を示す説明図である。図７に示す例では、上記のように紙書類を収納した複数のクリアファイルＦが、立った状態で配列されている。またこの例では、各発光タグ１００は、互いに発光体２の位置が重ならないように、それぞれ上下方向の配置位置が互いに異ならせて貼付されている。この状態では、通常の場合、図中の最も手前側のクリアファイルＦ以外では、どのクリアファイルＦにどの書類が収納されているか見分けることが困難である。
【００６２】
しかしながら、本実施形態においては、上記無線タグ回路部４と無線通信が可能なリーダ２００を用い、目的の書類に対応するタグＩＤを含む質問波をリーダアンテナ２０１から送信することにより、当該タグＩＤに対応する発光タグ１００の各発光部１２，１３だけを発光させることができ、ユーザは容易に識別することができる。特に、照明がなく周囲が暗い場合には、有効である。これにより、物品管理におけるユーザの利便性を向上することができる。
【００６３】
そして、本実施形態の発光タグ１００においては、発光体２が貼付本体部１の一端部から突出するように設けられており、図７に示すように発光体２をクリアファイルＦからはみ出るように空中に突出させることができる。また、発光体２は、その両側に第１発光部１２及び第２発光部１３を備えている。このようにして、発光体２の表裏両面から第１発光部１２及び第２発光部１３を発光させることで、上記のように空中に突出した状態で、一方側からは第１発光部１２が良好に視認されるとともに他方側からは第２発光部１３が良好に視認される。したがって、広い範囲においてユーザの視認性を大きく向上することができる。
【００６４】
また、この実施形態では特に、無線タグ回路部４に設けた電源供給部３１で無線給電を行うことにより、発光タグ１００内に自己電源を持たなくても、受信された電波のエネルギーを用いて第１発光部１２及び第２発光部１３に給電を行い、発光させることができる。
【００６５】
また、この実施形態では特に、ユーザによって使用時に本体剥離紙７が剥がされるまでは第１発光部１２及び第２発光部１３は発光を行わず、本体剥離紙７が剥がされ、また発光体基材１１が折り曲げられて前述の電極の導通が行われて使用が開始されると第１発光部１２及び第２発光部１３が発光可能となる。これにより、使用前の無駄な電源消費を防止することができる。
【００６６】
また、この実施形態では特に、無線タグ回路部４を発光体２側でなく貼付本体部１の内側基材５に設けることにより、発光体２側の制限を受けることなく無線タグ回路部４の大きさを比較的大きくすることができる。すなわち、一般に、ループアンテナ９の送受信可能な周波数帯域は、アンテナ素子の電気長に依存するが、無線タグ回路部４を大型化することで、ループアンテナ９の電気長を小さくしたり大きくしたり比較的自由に設定可能となる。これにより、ループアンテナ９の送受信可能な電波の周波数帯域を、比較的広範囲とすることができ、無線タグとしての汎用性が向上し、ユーザの利便性が向上する。
【００６７】
また、この実施形態では特に、ユーザが使用する前の平板状の構造の図２に示す状態の発光準備体２′を図４（ａ）に示すように折り曲げ部１１ａで折り曲げることで、図１及び図４（ｃ）に示すような第１発光部１２と第２発光部１３が表裏２層構造で含まれる発光体２を、容易に形成することができる。
【００６８】
なお、本発明は、上記に限られるものではなく、その趣旨及び技術的思想を逸脱しない範囲内で種々の変形が可能である。以下、そのような変形例を順を追って説明する。
【００６９】
（１）無線タグ回路部を発光体に設ける場合
上記実施形態では、無線タグ回路部４を貼付本体部１に設けていたが、本発明はこれに限られない。
【００７０】
例えば、上記図４（ｂ）に対応する図８（ａ）に示す発光タグ１００Ａのように、発光体基材１１Ａが折り曲げられた状態の発光体２Ａの周縁部に無線タグ回路部４Ａを設け、第１発光部１２Ａ及び第２発光部１３Ａを、平面視において、無線タグ回路部４Ａより発光体基材１１の径方向内周側に設けてもよい。なおこの場合でも、タグスイッチ部ＳＷ１は貼付本体部１側に設ける。
【００７１】
本変形例においては、無線タグ回路部４Ａを貼付本体部１の内側基材５側でなく、内側基材５から突出した発光体基材１１Ａに設けることにより、無線タグ回路部４Ａへの電波の障害物がなくなり、通信信頼性を向上することができる。また、前述したように、一般に、ループアンテナ９Ａの送受信可能な周波数帯域は、アンテナ素子の電気長に依存するが、第１発光部１２Ａ及び第２発光部１３Ａより外周側に無線タグ回路部４Ａを配置することで、アンテナ素子の電気長が比較的長い低周波通信向きの無線タグ回路部４Ａを、容易に実現できる。
【００７２】
また例えば、上記図４（ｂ）に対応する図８（ｂ）に示す発光タグ１００Ｂのように、発光体基材１１Ｂが折り曲げられた状態の発光体２Ｂの周縁部に第１発光部１２Ｂ及び第２発光部１３Ｂを設け、無線タグ回路部４Ｂを、平面視において、第１発光部１２Ｂ及び第２発光部１３Ｂより発光体基材１１Ｂの径方向内周側に設けてもよい。なおこの場合でも、タグスイッチ部ＳＷ１は貼付本体部１側に設ける。
【００７３】
本変形例においても、上記と同様に通信信頼性を向上することができる。また、第１発光部１２Ｂ及び第２発光部１３Ｂより内周側に無線タグ回路部４Ｂを配置することで、アンテナ素子としてのループアンテナ９Ｂの電気長が比較的短い高周波通信向きの無線タグ回路部４Ｂを、容易に実現できる。
【００７４】
なお、上記図８（ａ）及び図８（ｂ）に示す、無線タグ回路部４Ａ，４Ｂを発光体２Ａ，２Ｂに設ける構造に対し、前述の図２〜図４等を用いて説明したような、発光準備体を折り曲げて発光体とする構造を適用してもよい。この場合、前述と同様、第１発光部と第２発光部が表裏２層構造で含まれる発光体を容易に形成できる効果を得る。
【００７５】
（２）片面発光の発光体を２つ設ける場合
上記実施形態や（１）の変形例では、発光体２又は発光体２Ａ若しくは発光体２Ｂがそれぞれ単独で、基材の面に垂直な一方側と他方側との両側へ発光可能な機能を備えていたが、これに限られない。すなわち、図４（ａ）〜図４（ｃ）、図５（ａ）、及び図５（ｂ）を用いて前述した、発光準備体２′の折り曲げにより実現した発光体２の上記両側への発光機能を、基材の面の一方側に当該一方側方向にのみ発光する発光部と、基材の面の他方側に当該他方側方向にのみ発光する発光部とを設けることで、実現するようにしてもよい。この場合も、上記同様、広い範囲においてユーザの視認性を大きく向上できる、という効果を得る。
【００７６】
なお、以上において、図６等の各図中に示す矢印は信号の流れの一例を示すものであり、信号の流れ方向を限定するものではない。
【００７７】
また、以上既に述べた以外にも、上記実施形態や各変形例による手法を適宜組み合わせて利用しても良い。
【００７８】
その他、一々例示はしないが、本発明は、その趣旨を逸脱しない範囲内において、種々の変更が加えられて実施されるものである。
【符号の説明】
【００７９】
１                          貼付本体部
２，２Ａ，２Ｂ              発光体
２′                        発光準備体
３                          外側基材（基材）
４，４Ａ，４Ｂ              無線タグ回路部
５                          内側基材（基材）
６                          本体粘着層（貼り付け用粘着部）
７                          本体剥離紙（剥離紙）
８                          ＩＣ回路部
９，９Ａ，９Ｂ              ループアンテナ（タグアンテナ）
１１，１１Ａ，１１Ｂ        発光体基材（発光部設置部）
１１ａ                      折り曲げ部
１２，１２Ａ，１２Ｂ        第１発光部
１３，１３Ａ，１３Ｂ        第２発光部
１６                        ＩＣ陽極（陽極端子）
１７                        ＩＣ陰極（陰極端子）
１８                        第１陽極
１９                        第１陰極
２０                        第２陽極
２１                        第２陰極
３１                        電源供給部（給電部）
３２                        復調部
３３                        変調部
３４                        制御部
３５                        記憶部
３６                        コンデンサ
１００，１００Ａ，１００Ｂ  発光タグ
Ｆ                          クリアファイル（設置対象物）
ＳＷ１                      タグスイッチ部
ＳＷ２                      発光スイッチ部
【図１】
2011076136.tif 000003
【図２】
2011076136.tif 000004
【図３】
2011076136.tif 000005
【図４】
2011076136.tif 000006
【図５】
2011076136.tif 000007
【図６】
2011076136.tif 000008
【図７】
2011076136.tif 000009
【図８】
2011076136.tif 000010